(57)【要約】【課題】トンネルＴの坑口又は坑内に設置される防音壁１に開設したコンベア用開口６を通してズリ搬出用のベルトコンベア５が配設されるものにおいて、発破音がコンベア用開口６を介して坑外に伝播されることを防止する。【解決手段】コンベア用開口６に挿通されるベルトコンベア５の部分をコンベア用開口６から防音壁１の片側の壁面の外方に引き抜き自在な可動式ベルトコンベア５１で構成する。そして、可動式ベルトコンベア５２を引き抜いた状態でコンベア用開口６を蓋部材７で閉塞自在とする。【選択図】図１
2008057296.tif 000002
【特許請求の範囲】
【請求項１】
トンネル工事で発生するズリをベルトコンベアにより坑外に搬出するトンネル工事用ズリ搬出コンベア装置であって、トンネルの坑口又は坑内に設置される防音壁に開設したコンベア用開口を通してベルトコンベアが配設されるものにおいて、
コンベア用開口に挿通されるベルトコンベアの部分をコンベア用開口から防音壁の片側の壁面の外方に引き抜き自在な可動式ベルトコンベアで構成し、可動式ベルトコンベアを引き抜いた状態でコンベア用開口を蓋部材により閉塞自在とすることを特徴とするトンネル工事用ズリ搬出コンベア装置。
【請求項２】
請求項１記載のトンネル工事用ズリ搬出コンベア装置を用いたトンネルの発破掘削時の防音方法であって、
発破掘削を行う前に、前記可動式ベルトコンベアを前記コンベア用開口から引き抜いた後、コンベア用開口を前記蓋部材で閉塞することを特徴とするトンネルの発破掘削時の防音方法。
【請求項３】
前記可動式ベルトコンベアを前記コンベア用開口から引き抜く前に、可動式ベルトコンベア上のズリを当該可動式ベルトコンベアよりも下流に搬送しておくことを特徴とする請求項２記載のトンネルの発破掘削時の防音方法。
【発明の詳細な説明】
【技術分野】
【０００１】
本発明は、トンネル工事で発生するズリを坑外に搬出するトンネル工事用ズリ搬出コンベア装置並びにこのコンベア装置を用いたトンネルの発破掘削時の防音方法に関する。
【背景技術】
【０００２】
従来、トンネル工事で発生するズリはベルトコンベアにより坑外に搬出している。ところで、トンネル工事に際しては、発破掘削時に発破音が坑外に伝播して騒音問題を起こすことがないように、トンネルの坑口又は坑内に防音壁を設置することがある。そして、ズリの搬出が防音壁により妨げられないよう、防音壁にコンベア用開口を開設し、このコンベア用開口を通してベルトコンベアが配設される（例えば、特許文献１参照）。
【０００３】
然し、このものでは、コンベア用開口が常時開放されており、発破音がコンベア用開口を介して伝播して、遮音性が悪くなる。
【特許文献１】特開２００４−２０４５３９号公報（段落００２２、図１）
【発明の開示】
【発明が解決しようとする課題】
【０００４】
本発明は、以上の点に鑑み、防音壁による遮音性を確保できるようにしたトンネル工事用ズリ搬出コンベア装置並びにこのコンベア装置を用いたトンネルの発破掘削時の防音方法を提供することをその課題としている。
【課題を解決するための手段】
【０００５】
上記課題を解決するために、本願の第１発明は、トンネル工事で発生するズリをベルトコンベアにより坑外に搬出するトンネル工事用ズリ搬出コンベア装置であって、トンネルの坑口又は坑内に設置される防音壁に開設したコンベア用開口を通してベルトコンベアが配設されるものにおいて、コンベア用開口に挿通されるベルトコンベアの部分をコンベア用開口から防音壁の片側の壁面の外方に引き抜き自在な可動式ベルトコンベアで構成し、可動式ベルトコンベアを引き抜いた状態でコンベア用開口を蓋部材で閉塞自在とすることを特徴とする。
【０００６】
また、本願の第２発明は、上記第１発明のトンネル工事用ズリ搬出コンベア装置を用いたトンネルの発破掘削時の防音方法であって、発破掘削を行う前に、可動式ベルトコンベアをコンベア用開口から引き抜いた後、コンベア用開口を蓋部材で閉塞することを特徴とする。
【０００７】
第１発明のトンネル工事用ズリ搬出コンベア装置を用いることにより、第２発明の如く、発破掘削を行う前に、可動式ベルトコンベアをコンベア用開口から引き抜いて、コンベア用開口を蓋部材で閉塞することができる。そのため、発破音がコンベア用開口を介して伝播することを防止でき、防音壁による遮音性が確保される。
【０００８】
尚、可動式ベルトコンベア上にズリが載っている状態で可動式ベルトコンベアをコンベア用開口から引き抜くべく移動させると、ズリが可動式ベルトコンベアから零れ落ちることがある。そのため、可動式ベルトコンベアをコンベア用開口から引き抜く前に、可動式ベルトコンベア上のズリを当該可動式ベルトコンベアよりも下流に搬送しておくことが望ましい。これにより、可動式ベルトコンベアの移動時にズリが零れ落ちることを防止できる。
【発明を実施するための最良の形態】
【０００９】
図１を参照して、１は工事中のトンネルＴの坑口に設置した防音壁を示している。防音壁１には、図２に示す如く、工事車両の通行口を開閉する車両用扉２と、人の通行口を開閉する人用扉３とが装着されている。防音壁１には、更に、坑内の換気を行うダクト（図示省略）を接続する筒状ジョイント４が防音壁１を貫通するようにして取付けられると共に、ジョイント４を閉塞する開閉自在なシャッター（図示省略）が設けられている。
【００１０】
図１を参照して、トンネルＴの坑内には、トンネル工事で発生するズリａを坑外に搬出するベルトコンベア５が設置されている。このベルトコンベア５は防音壁１に開設したコンベア用開口６を通して坑外まで伸びている。
【００１１】
ここで、坑外に設置されるベルトコンベア５の部分は、防音壁１寄りの第１の短尺ベルトコンベア５１と、その下流側の第２の短尺ベルトコンベア５２とで構成されている。そして、第１短尺ベルトコンベア５１の上流側の端部を、図１（ａ）に示す如く、コンベア用開口６に挿通して、坑内に設置したベルトコンベア５の部分（坑内側コンベア部分）５０の下流端部にオーバーラップさせている。また、第２短尺ベルトコンベア５２の下流端に隣接する地面にピットＰが掘られている。かくして、ズリａはベルトコンベア５の坑内側コンベア部分５０から第１短尺ベルトコンベア５１を介して第２短尺ベルトコンベア５２に搬送され、第２短尺ベルトコンベア５２からピットＰ内に排出される。ピットＰ内のズリはパワーシャベル等により適宜掻き出される。
【００１２】
第１短尺ベルトコンベア５１は、坑外の地面に敷設したレール５１ａ上を移動する台車５１ｂに載架される可動式ベルトコンベアで構成されている。そして、第１短尺ベルトコンベア５１を下流側（坑外側）に移動させることにより、図１（ｂ）に示す如く、コンベア用開口６から防音壁１の坑外側の壁面の外方に第１短尺ベルトコンベア５１が引き抜かれるようにしている。
【００１３】
また、防音壁１には、コンベア用開口６のための蓋部材７が開閉自在に装着されている。
【００１４】
トンネルの発破掘削を行う際は、発破掘削前の準備作業として、先ず、ベルトコンベア５の坑内側コンベア部分５０によるズリの搬送を中断し、第１短尺ベルトコンベア５１上のズリを全て第２短尺ベルトコンベア５２に搬送すると共に、第２短尺ベルトコンベア５２上のズリをピットＰ内に排出する。次に、第１短尺ベルトコンベア５１を下流側に移動させてコンベア用開口６から引き抜く。この際、第１短尺ベルトコンベア５１上にはズリが存在しないため、第１短尺ベルトコンベア５１の移動時にズリが零れ落ちることはない。また、第２短尺ベルトコンベア５２上にもズリが存在しないため、第１短尺ベルトコンベア５１が第２短尺ベルトコンベア５２上のズリに邪魔されることなくスムーズに移動する。第１短尺ベルトコンベア５１をコンベア用開口６から引き抜いた後は、蓋部材７を閉じてコンベア用開口６を閉塞する。このようにして準備作業が完了した後、発破掘削を行う。
【００１５】
これによれば、コンベア用開口６を閉塞した状態で発破掘削が行われることになる。そのため、発破音がコンベア用開口６を介して伝播することを防止でき、防音壁１による遮音性が確保される。尚、準備作業では、ジョイント４用のシャッターも閉じておく。
【００１６】
以上、本発明の実施形態について図面を参照して説明したが、本発明はこれに限定されない。例えば、上記実施形態では、坑外に設置するベルトコンベア５の部分を第１短尺ベルトコンベア５１とその下流側の第２短尺ベルトコンベア５２とで構成して、第１短尺ベルトコンベア５１を可動式ベルトコンベアとしたが、坑外に設置するベルトコンベア５の部分を防音壁１に向けて伸縮する単一の伸縮式ベルトコンベアで構成しても良い。この場合、伸縮式ベルトコンベアの伸縮する部分が可動式ベルトコンベアとなる。尚、伸縮式ベルトコンベアは従来公知（例えば、特開２００１−１０７１１号公報等）であり、その詳細な説明は省略する。
【００１７】
また、上記実施形態では、第１短尺ベルトコンベア５１を地面に敷設したレール５１ａに沿って移動させるようにしたが、第１短尺ベルトコンベア５１をその上方に架設したレールに移動自在に吊り下げることも可能である。
【００１８】
また、ベルトコンベア５の坑内側コンベア部分５０の防音壁１近傍に位置する部分を可動式ベルトコンベアとして、この可動式ベルトコンベアの下流側の端部を常時はコンベア用開口６に挿通し、必要に応じてコンベア用開口６から防音壁１の坑内側の壁面の外方に可動式ベルトコンベアを引き抜くようにしても良い。
【００１９】
また、上記実施形態では、トンネルＴの坑口に防音壁１を設置しているが、坑内に防音壁を設置する場合にも同様に本発明を適用できる。
【図面の簡単な説明】
【００２０】
【図１】（ａ）本発明の実施形態のコンベア装置を設置したトンネルの縦断面図、（ｂ）実施形態のコンベア装置の可動式ベルトコンベアをコンベア用開口から引き抜いた状態のトンネルの縦断面図。
【図２】防音壁の正面図。
【符号の説明】
【００２１】
Ｔ…トンネル、１…防音壁、５…ベルトコンベア、５１…第１短尺ベルトコンベア（可動式ベルトコンベア）、６…コンベア用開口、７…蓋部材。
【図１】
2008057296.tif 000003
【図２】
2008057296.tif 000004